(57)【特許請求の範囲】
【請求項１】
烏賊釣りに用いられる疑似針であって、ミチ糸側に接続される連結体（３）と、疑似針本体（２）とが別体で形成され、該疑似針本体（２）又は連結体（３）の何れか一方には、係止部（７）が設けられ、且つその何れか他方には該係止部（７）を係止可能な被係止部（６）が設けられ、該被係止部（６）に係止部（７）が係止されることにより連結体（３）に疑似針本体（２）が装着脱可能に構成されており、前記係止部（７）又は被係止部（６）の何れか一方には、係止凸部（１８）が設けられ、且つその何れか他方には、該係止凸部（１８）の挿入可能な溝部（１９）が設けられており、前記係止凸部（１８）を溝部（１９）に形成されたテーパ状部（２０）に圧入することにより、係止凸部（１８）がテーパ状部（２０）に圧着されて連結体（３）に疑似針本体（２）が装着されることを特徴とする烏賊用疑似針。
【発明の詳細な説明】
【０００１】
【発明の属する技術分野】
本発明は、烏賊釣り用の疑似針に関する。
【０００２】
【従来の技術】
従来より、烏賊釣り用疑似針は種々の形状のものが提案されている。
例えば、エビの形状に形成され且つ傘針が取り付けられた疑似針、魚の形状に形成され且つ傘針が取り付けられた疑似針、棒状に形成され且つ傘針が取り付けられた疑似針等、種々の疑似針が知られている。
【０００３】
かかる擬似針は、何れも先端部にミチ糸側に接続するためのフックや孔が設けられており、通常は、図１１に示すように、疑似針３２の先端部に設けられたフック等にミチ糸３０から分岐された複数のハリス３１をそれぞれ締結することにより烏賊釣り用の仕掛けが作られている。
【０００４】
ところで、烏賊用疑似針３２は、その形状のみならず、色彩についても種々のものがあり、釣り人は、海の状況、天候、時間、対象となる烏賊の種類等の釣り場状況に応じて、最適な疑似針３２の選択を行う。
例えば、形状は同じ擬似針３２であっても、色彩が異なるだけで釣果に過大な影響を与えることがある。
【０００５】
また、釣り場状況は、刻々と変化するので、一般的には、同じ状況が長く持続することは稀である。
従って、釣り人は、釣り場状況を的確に把握した後、最適な疑似針３２を選択し、且つそれをミチ糸３０等に素早く接続して、仕掛けを作り直さなければならない。
【０００６】
【発明が解決しようとする課題】
しかしながら、従来の疑似針にあっては、疑似針３２に設けられたフックや孔にハリス３１を締結することにより仕掛けが作られるので、既に作った仕掛けを変更しようとすると、ハリス３１を切断して疑似針３２を取り外した後、疑似針３２とハリス３１とを再度締結しなければならず、仕掛けの交換が煩雑であるという問題点がある。
【０００７】
このように疑似針３２の交換にハリス３１の締結作業を伴うと、その交換に時間がかかり、その間に釣り場状況も変化して十分な釣果が期待できない。
殊に、釣りの初心者は、かかる仕掛けの作り替えに時間がかかる。
【０００８】
本発明は、上記従来の問題点に鑑みて、素早く仕掛けを作り直すことができる烏賊用疑似針を提供することを課題とする。
【０００９】
【課題を解決するための手段】
本発明は、上記課題を解決するためになされたもので、その解決手段は、ミチ糸側に接続される連結体３と、疑似針本体２とが別体で形成され、該疑似針本体２又は連結体３の何れか一方には、係止部７が設けられ、且つその何れか他方には該係止部７を係止可能な被係止部６が設けられ、被係止部６に係止部７が係止されることにより連結体３に疑似針本体２が装着脱可能に構成されており、前記係止部（７）又は被係止部（６）の何れか一方には、係止凸部（１８）が設けられ、且つその何れか他方には、該係止凸部（１８）の挿入可能な溝部（１９）が設けられており、前記係止凸部（１８）を溝部（１９）に形成されたテーパ状部（２０）に圧入することにより、係止凸部（１９）がテーパ状部（２０）に圧着されて連結体（３）に疑似針本体（２）が装着されることにある。
【００１０】
上記構成からなる烏賊用疑似針は、連結体３と疑似針本体２とが別体で構成され、疑似針本体２又は連結体３の何れか一方に設けら被係止部６に係止部７が係止されることにより連結体３に疑似針本体２が装着脱可能に構成されているので、連結体３をミチ糸側に接続したままで、疑似針本体２のみを取り外すことができる。
従って、簡単に疑似針本体２を交換して仕掛けを作り直すことができる。
【００１５】
【発明の実施の形態】
以下、本発明に係る烏賊用疑似針ついて説明する。
＜第１実施形態＞
図１及び図２に於いて、１は、所定形状に形成された疑似針本体２と、ミチ糸側に接続される連結体３とからなる烏賊用疑似針を示し、該疑似針本体２と連結体３とは着脱可能に構成されている。
【００１６】
該疑似針本体２は、例えば、棒状に形成されており、その後端には、傘針５が固着されている。
さらに、疑似針本体２の一部には、連結体３に設けられた被係止部６に係脱可能に係止される係止部７が設けられている。
【００１７】
一方、連結体３は、有底筒状に形成されており、その後端側には、疑似針本体２の係止部７を係止する被係止部６が設けられ、且つ連結体３の先端側には、ミチ糸側と接続するためのハリス８等を締結する接続部として孔１０が穿設されている。
【００１８】
さらに詳しくは、疑似針本体２の係止部７は、疑似針本体２の先端から軸長方向に延設された嵌入部１３と、該嵌入部１３に設けられた板バネ部１２とから構成されており、該係止部７は、連結体３の開口部１１から連結体３内部に形成された被係止部６に挿入脱可能に形成されている。
【００１９】
該板バネ部１２は、先端が嵌入部１３の先端に一体的に固着され、且つ後端が自由端とされることにより弾性力を有し、その中央部には、連結体３の被係止部６に形成された被係止凸部１４に係止される係止凸部１５が突設されている。
【００２０】
連結体３の被係止部６は、開口部１１に連通し、且つ疑似針本体２の係止部７が嵌入する空洞部９と、該空洞部９の内面に突設された被係止凸部１４とからなる。
【００２１】
上記構成からなる烏賊用疑似針は、連結体３の孔１０にハリス８等を締結することにより連結体３をミチ糸側に接続して使用される。
そして、釣り人が、疑似針を変更したい場合には、疑似針本体２の板バネ部１２の後端を押圧して係止部７を弾性変形させ、係止凸部１５と被係止凸部１４の係止を解除することにより、連結体３から疑似針本体２を容易に取り外すことができる。
【００２２】
次に、任意に選択された異なる疑似針本体２を連結体３の開口部１１に嵌入することにより、疑似針本体２の係止部７と連結体３の被係止部６が係止され、ハリス８を切断することなく新たな仕掛けを作ることができる。
【００２３】
このように係止部７が弾性力を有する構造であれば、ワンタッチで疑似針本体２の装着脱を行えるので、誰でも素早く疑似針を交換することができる。
【００２４】
尚、上記第１実施形態に於いて、疑似針本体２には、係止部７として１個の板バネ部１２が形成されているが、例えば、図３及び図４に示すように、係止部７として２個の板バネ部１２，１２が設けられていてもよく、又、それ以上（複数）板バネ部１２が設けられていてもよい。
【００２５】
さらに、上記第１実施形態に於いて、連結部３には、被係止部６として被係止凸部１４が設けられているが、例えば、図３及び図４に示すように、被係止凸部１４に代えて、疑似針本体２の係止凸部１５が嵌合しうる被係止孔部１６を設けてもよい。
また、特に図示しないが、疑似針本体２の板バネ部１２に係止孔部を設け、且つ連結体３に該孔部に嵌合する被係止凸部を設けても良い。
【００２６】
さらに、上記第１実施形態に於いて、板バネ部１２は、先端が嵌入部１３の先端に一体的に固着され、且つ後端が自由端とされており、その中央部に係止凸部１５が突設された形状からなるが、例えば、図５に示すように、後端が疑似針本体２の先端に一体的に固着され（嵌入部１３を形成しない）、且つ先端が自由端とされており、該先端に連結体３の被係止孔部１６に嵌合する係止凸部１５が突設された形状から構成されていてもよい。
【００２７】
さらに、上記第１実施形態に於いて、疑似針本体２の弾性力を有する係止部７として板バネ部１２を例示しているが、弾性力を有する係止部７は、板バネに限定されず、例えば、スプリングバネを設けて係止部７を弾性変形可能に構成し、連結体３の被係止部６に係止させてもよい。
【００２８】
＜第２実施形態＞
本実施形態に於いては、連結体３に疑似針本体２が装着脱可能に構成されているが、その装着脱可能とする構成が第１実施形態と異なる。
以下、図面を参照しつつ説明するが、第１実施形態と重複する説明は省略し、各部の名称及び図番は第１実施形態のものを適宜援用し、本実施形態に示す図面における第１実施形態と同図番で且つ特に説明のないものは、第１実施形態で説明した構成と同じ構成を説明したものとする。
【００２９】
図６及び図７に於いて、疑似針本体２の係止部７は、疑似針本体２の先端から軸長方向に延設された嵌入部１３と、該嵌入部１３に軸長方向と直交する方向に突設された係止凸部１８とから構成されており、該係止部７は、連結体３の開口部１１から連結体３内部に形成された被係止部６に挿入脱可能に形成されている。
【００３０】
連結体３の被係止部６は、開口部１１に連通し、且つ疑似針本体２の嵌入部１３が挿入される空洞部９と、該空洞部９の内面に軸長方向に設けられ、且つ疑似針本体２の係止凸部１８が挿入可能な溝部１９と、該空洞部９の内面に周方向に設けられ、且つ次第に幅狭にされて疑似針本体２の係止凸部１８の幅Ｗよりも幅狭な部分が形成されたテーパ状部２０とからなり、該テーパ状部２０は、溝部１９に連通して形成されている。
【００３１】
上記構成からなる烏賊用疑似針は、疑似針本体２の係止部７を、その係止凸部１８を連結体３の溝部１９に位置合わせして嵌入し、該係止凸部１８を連結体３のテーパ状部２０にまで到達させ、該疑似針本体２をテーパ状部２０が形成された方向（周方向、図７に示す矢印方向）に回転させることにより、疑似針本体２の係止凸部１８がテーパ状部２０に圧着される。
従って、連結体３に疑似針本体２を装着することができる。
【００３２】
また、疑似針本体２を逆の方向（図７に示す矢印方向とは反対の方向）に回転させることにより、疑似針本体２を連結体３から取り外すことができ、誰でも素早く疑似針を交換することができる。
【００３３】
尚、上記第２実施形態に於いて、疑似針本体２の係止部７は、嵌入部１３と、係止凸部１８とから構成され、一方、連結体３の被係止部６は、該嵌入部１３が挿入される空洞部９と、係止凸部１８が挿入可能な溝部１９と、該溝部１９に連通したテーパ状部２０とからなるが、例えば、図８及び図９に示すように、疑似針本体２の係止部７が、空洞部９と、該空洞部９の内面に軸長方向と直交する方向に突設された係止凸部１８とから構成され、一方、連結体３の被係止部６が、連結体３の後端から軸長方向に延設され、且つ疑似針本体２の係止部７の空洞部９に挿入可能な嵌入部１３と、該嵌入部１３に外面に軸長方向に設けられ、且つ係止凸部１８が挿入可能な溝部１９と、該嵌入部１３の外面に周方向に設けられ、且つ次第に幅狭にされて疑似針本体２の係止凸部１８の幅よりも幅狭な部分が形成されたテーパ状部２０とから構成されていてもよい。
【００３４】
また、特に図示しないが、係止部７に溝部１９及びテーパ状部２０を設け、且つ被係止部６に外テーパ状部２０に圧着される係止凸部１８を設けてもよい。
【００３５】
＜第３実施形態＞
本実施形態に於いては、連結体３に疑似針本体２が装着脱可能に構成されているが、その装着脱可能とする構成が第１実施形態と異なる。
以下、図面を参照しつつ説明するが、第１実施形態と重複する説明は省略し、各部の名称及び図番は第１実施形態のものを適宜援用し、本実施形態に示す図面における第１実施形態と同図番で且つ特に説明のないものは、第１実施形態で説明した構成と同じ構成を説明したものとする。
【００３６】
図１０に於いて、疑似針本体２の係止部７は、疑似針本体２の先端から軸長方向に延設された嵌入部１３と、該嵌入部１３の外面に刻設された雄ネジ部２２とから構成されている。
【００３７】
連結体３の被係止部６は、開口部１１に連通し、且つ疑似針本体２の嵌入部１３が螺入される空洞部９と、該空洞部９の内面に刻設された雌ネジ部２３とから構成されている。
かかる疑似針本体２の係止部７は、連結体３の被係止部６に螺入可能である。
【００３８】
上記構成からなる烏賊用疑似針は、疑似針本体２の係止部７を、連結体３の被係止部６に螺入することにより、連結体３に疑似針本体２を装着することができる。
従って、確実に且つ比較的簡易に誰でも素早く疑似針を交換することができる。
【００３９】
＜他実施形態＞
上記各実施形態に於いて、疑似針本体２には、係止部７が設けられ、一方、連結体３には、被係止部６が設けられているが、逆に、疑似針本体２に上記した種々の態様の被係止部６が設けられ、且つ連結体３に上記した種々の態様の係止部７が設けられていてもよい。
要は、疑似針本体２又は連結体３の何れか一方に、係止部７が設けられ、且つその何れか他方には該係止部７を係止可能な被係止部６が設けられていればよい。
【００４０】
また、上記各実施形態で示した各構成を置換、変更、組合せ等を行うことも可能であり、その他、上記各実施形態に示す烏賊用疑似針は、本発明の意図する範囲で適宜設計変更可能である。
【００４１】
【発明の効果】
以上のように本発明に係る烏賊用疑似針は、ミチ糸側に接続される連結体に疑似針本体が装着脱可能であるので、釣り人が仕掛けを作り直す際に、ハリス等のミチ糸側を切断等する必要がなく、釣果に過大な影響を与える疑似針本体のみを交換することができる。
従って、釣り人は、釣り場状況に応じて、素早く仕掛けを作り直すことができる。
【図面の簡単な説明】
【図１】烏賊用疑似針の第１実施形態を示す側面図であって、疑似針本体を連結体から取り外した状態を示し、連結体については縦断面図で表している。
【図２】図１に示す烏賊用疑似針の一部省略側面図であって、疑似針本体を連結体に装着した状態を示し、連結体（一部を除く）及び疑似針本体共に縦断面図で表している。
【図３】烏賊用疑似針の第１実施形態の変形例を示す一部省略斜視図であって、疑似針本体を連結体から取り外した状態を示す。
【図４】図３に示す烏賊用疑似針の一部省略側面図であって、疑似針本体を連結体に装着した状態を示し、連結体（一部を除く）については縦断面図で表している。
【図５】烏賊用疑似針の第１実施形態の他変形例を示す一部省略側面図であって、疑似針本体を連結体から取り外した状態を示し、連結体（一部を除く）については縦断面図で表している。
【図６】烏賊用疑似針の第２実施形態を示す一部省略斜視図であって、疑似針本体を連結体から取り外した状態を示す。
【図７】図６に示す烏賊用疑似針の一部省略側面図であって、疑似針本体の係止部を連結体の被係止部に挿入した状態を示し、連結体（一部を除く）については縦断面図で表している。
【図８】烏賊用疑似針の第２実施形態の変形例を示す一部省略斜視図であって、疑似針本体を連結体から取り外した状態を示す。
【図９】図８に示す烏賊用疑似針の一部省略側面図であって、疑似針本体を連結体から取り外した状態を示し、疑似針本体（一部を除く）については縦断面図で表している。
【図１０】烏賊用疑似針の第３実施形態を示す一部省略側面図であって、疑似針本体を連結体から取り外した状態を示し、連結体（一部を除く）については縦断面図で表している。
【図１１】従来の烏賊用疑似針を用いた仕掛けについての参考図。
【符号の説明】
２…疑似針本体、３…連結体、６…被係止部、７…係止部、１８…係止凸部、１９…溝部、２０…テーパ状部
【図１】
0003929596.tif 000002
【図２】
0003929596.tif 000003
【図３】
0003929596.tif 000004
【図４】
0003929596.tif 000005
【図５】
0003929596.tif 000006
【図６】
0003929596.tif 000007
【図７】
0003929596.tif 000008
【図８】
0003929596.tif 000009
【図９】
0003929596.tif 000010
【図１０】
0003929596.tif 000011
【図１１】
0003929596.tif 000012